(57)【要約】【課題】  本発明は、移動通信端末機に関し、特に、端末機の無線感度に影響を及ぼす、デジタルノイズを減衰し得るバス構造に関する【解決手段】  制御部と、共通バスに連結された第１及び第２素子と、それら第１及び第２素子間に位置し、前記制御部の制御によって第２素子のバスを共通バスから分離させるバススイッチと、から構成されることを特徴とする移動通信端末機のバス構造。移動通信端末機のバス構造は、全般的な制御動作を遂行する制御部と、共通バスに連結された第１及び第２素子と、それら第１及び第２素子間に位置し、前記第１素子が共通バスを使用する時、前記制御部の制御によって第２素子のバスを共通バスから分離させるバススイッチと、から構成される。【選択図】    図１
2005192215.tif 000002
【特許請求の範囲】
【請求項１】
制御部と、
共通バスに連結された第１及び第２素子と、
それら第１及び第２素子間に位置し、前記制御部の制御によって第２素子のバスを共通バスから分離させるバススイッチと、
から構成されることを特徴とする移動通信端末機のバス構造。          
【請求項２】
前記第１素子はメモリで、第２素子はＬＣＤモジュールであることを特徴とする請求項１に記載の移動通信端末機のバス構造。
【請求項３】
前記第２素子は、制御部から最も遠く離れた素子であることを特徴とする請求項１に記載の移動通信端末機のバス構造。
【請求項４】
前記バススイッチは、第２素子のバスの前段に位置することを特徴とする請求項１に記載の移動通信端末機のバス構造。
【請求項５】
前記バススイッチは、３状態バッファであることを特徴とする請求項１に記載の移動通信端末機のバス構造。
【請求項６】
前記バススイッチは、前記第１素子が共通バスを使用する時、制御部の制御によって第２素子のバスを共通バスから分離させることを特徴とする請求項１に記載の移動通信端末機のバス構造。
【請求項７】
前記バススイッチは、前記第２素子が共通バスを使用する時、制御部の制御によって第２素子のバスを共通バスに連結させることを特徴とする請求項１に記載の移動通信端末機のバス構造。
【請求項８】
前記移動通信端末機は、折り畳み型端末機であることを特徴とする請求項１に記載の移動通信端末機のバス構造。
【発明の詳細な説明】
【技術分野】
【０００１】
本発明は、移動通信端末機に関し、特に、端末機の無線感度に影響を及ぼすデジタルノイズを減衰し得るバス構造に関する。
【０００２】
一般に、移動通信端末機（以下、端末機と略称す）のバス構造は、色々な素子（ＭＳＭ（ｍｏｂｉｌｅ  ｓｔａｔｉｏｎ  ｍｏｄｅｍ）、メモリ、ＬＣＤ及びＤＳＰ）が１つのバスに連結された共通バス構造である。従って、端末機の各素子は、アドレスマッピングを通じて自身の順番になった時のみに共通バスを使用する。  
【０００３】
図４は、移動通信端末機において使用される従来のバス構造を示した図である
図４を参照すると、従来の移動通信端末機は、８または１６ビットの共通バス３にＭＳＭ（ｍｏｂｉｌｅ  Ｓｔａｔｉｏｎ  Ｍｏｄｅｍ）１、メモリ２及びＬＣＤモジュール５が連結された構造である。このような共通バス構造においてＭＳＭ１はマスターになる。
【０００４】
マスターであるＭＳＭ１は、共通バス３を経由してメモリ２（または、ＬＣＤモジュール）からデータを読み出す（ｒｅａｄ）か、メモリ２（または、ＬＣＤモジュール）にデータを書き込む（ｗｒｉｔｅ）。
【０００５】
しかしながら、ＭＳＭ１がメモリ２をアクセス（読み出しまたは書き込み）する間、ＬＣＤモジュール５は、実際に共通バス３に連結される必要がなく、また、前記ＭＳＭ１がＬＣＤモジュール５をアクセスする間、前記メモリ２も共通バス３に連結される必要が無いにもかかわらず、メモリ２及びＬＣＤモジュール５は、常に共通バス３に連結されている。
【０００６】
従って、メモリ２（または、ＬＣＤモジュール）をアクセスする時、パルス信号がＬＣＤモジュール５（または、メモリ）に流入されるが、このようなパルス信号の流入は、デジタルノイズの発生を意味する。
【０００７】
このように、従来の共通バス構造では、端末機の各素子（ｅｌｅｍｅｎｔ）にデジタルノイズが放射されることで端末機の無線感度損失が発生する。例えば、図４に示されたように、折り畳み型端末機の場合、ＭＳＭ１及びメモリ２は、ＲＦブロックなどから分離されてフォルダの下段１０に位置し、ＬＣＤモジュール５は、デザインによって異なるが、フレキシブルＰＣＢ（Ｆｌｅｘｉｂｌｅ  Ｐｒｉｎｔｅｄ  Ｃｉｒｃｕｉｔ  Ｂｏａｒｄ：ＦＰＣＢ）を通してフォルダの上段２０に位置する。従って、前記ＬＣＤモジュール５は、共通バス３に連結されていたとしてもＭＳＭ１から最も遠く離れているので、最も多くのデジタルノイズの放射が発生される。  
【０００８】
従って、従来の移動通信端末機は、必然的にデジタルノイズが増加するしかない  バス構造を有するので、端末機の無線感度が低下するという短所があった。また、今後ますますバスの速度が増加する傾向であるため、前記デジタルノイズは端末機により深刻な問題を起すようになる。
【発明の開示】
【発明が解決しようとする課題】
【０００９】
従って、本発明の目的は、移動通信端末機の無線感度を向上し得る移動通信端末機のバス構造を提供することにある。  
【００１０】
本発明の他の目的は、フォルダの上部に位置した素子のデジタルラインのバスを  制御することにより、デジタル放射ノイズを減少し得る移動通信端末機のバス構造を提供することにある。
【課題を解決するための手段】
【００１１】
上記目的を達成するために、本発明は、例えば、以下の手段を提供する。
（項目１）
制御部と、
共通バスに連結された第１及び第２素子と、
それら第１及び第２素子間に位置し、前記制御部の制御によって第２素子のバスを共通バスから分離させるバススイッチと、
から構成されることを特徴とする移動通信端末機のバス構造。
（項目２）
前記第１素子はメモリで、第２素子はＬＣＤモジュールであることを特徴とする項目１に記載の移動通信端末機のバス構造。
（項目３）
前記第２素子は、制御部から最も遠く離れた素子であることを特徴とする項目１に記載の移動通信端末機のバス構造。
（項目４）
前記バススイッチは、第２素子のバスの前段に位置することを特徴とする項目１に記載の移動通信端末機のバス構造。
（項目５）  
前記バススイッチは、３状態バッファであることを特徴とする項目１に記載の移動通信端末機のバス構造。
（項目６）
前記バススイッチは、前記第１素子が共通バスを使用する時、制御部の制御によって第２素子のバスを共通バスから分離させることを特徴とする項目１に記載の移動通信端末機のバス構造。
（項目７）
前記バススイッチは、前記第２素子が共通バスを使用する時、制御部の制御によって第２素子のバスを共通バスに連結させることを特徴とする項目１に記載の移動通信端末機のバス構造。
（項目８）
前記移動通信端末機は、折り畳み型端末機であることを特徴とする項目１に記載の移動通信端末機のバス構造。
【００１２】
このような目的を達成するために、本発明に係る移動通信端末機のバス構造は、  全般的な制御動作を遂行する制御部と、共通バスに連結された第１及び第２素子と、それら第１及び第２素子間に位置し、前記第１素子が共通バスを使用する時、前記制御部の制御によって第２素子のバスを共通バスから分離させるバススイッチと、から構成されることを特徴とする。
【００１３】
前記第１素子はメモリで、第２素子はＬＣＤモジュールであることを特徴とする。
【００１４】
前記移動通信端末機は、折り畳み型端末機で、前記バススイッチは、３状態スイッチである。
【００１５】
前記バススイッチは、前記第２素子が共通バスを使用する時、制御部の制御によって第２素子のバスを共通バスに連結させることを特徴とする。
【発明の効果】
【００１６】
本発明は、ＬＣＤのようにフォルダ上部に位置する素子のデジタルラインのバスを必要によって共通バスから分離させることで、折り畳み型端末機のデジタルノイズの放射を基本的に遮断することにより、移動通信端末機の無線感度を画期的に向上し得るという効果がある。
【発明を実施するための最良の形態】
【００１７】
以下、本発明の望ましい実施形態を説明する。  
【００１８】
本発明は、デジタルノイズの放射を低減させることで移動通信端末機の無線感度を向上し得るバス構造を提案する。このために、本発明は、バススイッチを利用してＬＣＤモジュールのバスを共通バスから分離することにより、デジタルノイズの流れ自体を除去する。
【００１９】
図１は、本発明に係る移動通信端末機のバス構造の示した概略図で、図示されたように、本発明に係るバス構造は、図４に示された従来のバス構造に付加してバススイッチ６をさらに含む。このとき、従来と同一部分には、同一番号を付ける。  
【００２０】
前記バススイッチ６は、相互共通に連結された素子（ｅｌｅｍｅｎｔ）のバスを連結するか、または、分離する役割を遂行する。前記バススイッチ６は、最多のデジタルノイズが放射されるＬＣＤモジュール５のバス７が共通バス３と分離できるようにＬＣＤモジュール５のバス７の前段に位置する。即ち、前記バススイッチ６は、ＭＳＭ１から最も遠く離れたフォルダの上段２０に位置した素子のバスの前段に位置する。
【００２１】
以下、このように構成された移動通信端末機のバス構造において、デジタルノイズの低減方法を説明する。
【００２２】
ＭＳＭ１は、メモリ２からデータを読み出すか、メモリ２にデータを書き込む場合、制御信号（ＬＣＤ＿ＣＳ）を出力してバススイッチ６をオフさせることにより、ＬＣＤモジュール５のバス７を共通バス３から分離させる。さらに、ＭＳＭ１は、前記ＬＣＤモジュール５からデータを読み出すか、ＬＣＤモジュール５にデータを書き込む場合、前記バススイッチ６をオンさせてＬＣＤモジュール５のバス７を共通バス３と連結させる。  
【００２３】
図２は、図１のバススイッチ６の詳細構成図である。  
【００２４】
前記バススイッチ６としては、バスを共通バス３と連結及び分離し得るように製造された一般のロジックＩＣが使用されることができるが、本発明では、制御信号（ＬＣＤ＿ＣＳ／）によってオン／オフされる３状態（ｔｒｉ−ｓｔａｔｅ）バッファ６でバススイッチ６を構成する。  
【００２５】
前記共通バス３が１６ビットである場合、バススイッチ６の入力端子は、１６ビットのデータラインと連結され、出力端子は、１６ビットのＬＣＤデータラインと  連結される。また、バススイッチ６は、バススイッチ６のオン／オフを制御する制御端子が備えている。  
【００２６】
ＭＳＭ１とメモリ２がデータを交換する場合、図３に示されたように、ＭＳＭ１は、ハイレベルの制御信号（ＬＣＤ＿ＣＳ／）を出力してバススイッチ６をオフさせる。その結果、前記ＬＣＤモジュール５のバス７が共通バス３から分離され、バススイッチ６の入力データ（ＤＡＴＡ＿ＩＮ）が出力端子に伝達されなくなる。
【００２７】
反面、ＬＣＤモジュール５にデータを書き込む場合、ＭＳＭ１は、ローレベルの制御信号（ＬＣＤ＿ＣＳ／）を出力してバススイッチ６をオンさせる。その結果、前記ＬＣＤモジュール５のバス７が共通バス３と連結され、入力データ（ＤＡＴＡ＿ＩＮ）が、前記バススイッチがオン状態の間に出力データ（ＤＡＴＡ＿ＯＵＴ）として出力される。  
【００２８】
このように、本発明は、制御信号（ＬＣＤ＿ＣＤ／）がイネーブルされる時のみにバススイッチを動作させることでＬＣＤモジュールのバスを共通バスから分離させることにより、デジタルノイズの放射を基本的に遮断する。  
【００２９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００３０】
【図１】本発明に係る移動通信端末機のバス構造を示した図である。
【図２】図１のバススイッチの詳細構成図である。
【図３】図１のバススイッチの入出力を示した信号タイミング図である。
【図４】移動通信端末機において使用される従来のバス構造を示した図である。
【図１】
2005192215.tif 000003
【図２】
2005192215.tif 000004
【図３】
2005192215.tif 000005
【図４】
2005192215.tif 000006